(57)【特許請求の範囲】
【請求項１】
煙道内に挿入される排ガス取り入れ口を有するパイプ構造の取り入れ部を備えた排ガス計測用サンプリングノズルであって、前記取り入れ口から取り入れ部にかけて、その内面を一様に濡らすよう水を放出して、水の流れを形成する水供給手段として、複数の水放出孔を側面に沿って設けた散水パイプを前記取り入れ部の内面上部に長手方向に配置したことを特徴とする煙道排ガス計測用サンプリングノズル。
【請求項２】
前記散水パイプを延長して、その延長した部分には、下方に向けた水放出孔を設けて、取り入れた排ガスを散水洗浄するようにした請求項１に記載の煙道排ガス計測用サンプリングノズル。
【請求項３】
前記排ガス計測用サンプリングノズルの取り入れ部内部を排ガス取り入れ口近傍に至るまで、進退動作可能に配設された尖端部を有する清掃用ロッドを併設した請求項２に記載の煙道排ガス計測用サンプリングノズル。
【発明の詳細な説明】
【０００１】
【発明の属する技術分野】
本発明は、煙道排ガスのガス分析などに用いられる計測用サンプリングノズルに関するものであって、特に、排ガス成分によるノズルの閉塞を防止できる改良された構造に関する。
【０００２】
【従来の技術】
従来、焼却炉の燃焼排ガスは必要に応じてその成分が分析され監視されている。このようなガス分析では、排ガスをサンプリングする必要があるが、この目的のための装置として図２に例示する計測用サンプリングノズルが用いられている。すなわち、煙道５の管壁５１に取り付けられる取り入れ部１には、上部を給水部３とし、下部をサンプリング部４としたパイプ構造が交差して取り付けられている。
【０００３】
そして、給水部３に設けられた散水ノズル３１からの散水によって、下方のサンプリング部４および下部配管（図示せず）は水洗浄されるとともに、取り入れ部１の取り入れ口１１から吸引され取り入れられた排ガスは、前記交差している部分において、散水ノズル３１からの散水を受け、以降サンプリング部４下端に設けられた配管（図示せず）を通じてガス計測部（図示せず）に供給されるものである。
一方、前記取り入れ部１の反対側には、清掃ロッド２１を進退動作させるためのシリンダ部２が配設され、清掃ロッド２１の尖端部２２を出し入れすることにより、前記取り入れ部１内部の汚損を清掃できるよう構成されている。
【０００４】
ところが、前記取り入れ部１の取り入れ口１１から内部にわたって、焼却物の燃焼ガス中有の成分が凝縮し、固形物として固着する現象が認められ、それを放置すると、時間ともに成長して取り入れ部１が閉塞して計測ができなくなるという問題があった。この凝縮固形物は、かなりの硬度と強度を持っていて、前記の清掃ロッド２１の尖端部２２では、十分には除去できないうえ、清掃ロッド２１のスムーズな動作の障害となるということから、定期的にサンプリングノズル全体を取り外し分解掃除しなけばならないという問題があった。
【０００５】
【発明が解決しようとする課題】
本発明は、上記の問題点を解決するためになされたものであり、前記した凝縮固形物の発生を予防して、取り入れ部の閉塞を防止するとともに、清掃ロッド２１のスムーズな動作の確保も可能となる煙道排ガス計測用サンプリングノズルを提供する。
【０００６】
【課題を解決するための手段】
上記の問題は、煙道内に挿入される排ガス取り入れ口を有するパイプ構造の取り入れ部を備えた排ガス計測用サンプリングノズルであって、前記取り入れ口から取り入れ部にかけて、その内面を一様に濡らすよう水を放出して、水の流れを形成する水供給手段として、複数の水放出孔を側面に沿って設けた散水パイプを前記取り入れ部の内面上部に長手方向に配置したことを特徴とする本発明の煙道排ガス計測用サンプリングノズルによって解決することができる。
そして、本発明では前記散水パイプを延長して、その延長した部分には、下方に向けた水放出孔を設けて、取り入れた排ガスを散水洗浄するようにした形態に好ましく具体化される。さらに、本発明は、前記排ガス計測用サンプリングノズルの取り入れ部内部を排ガス取り入れ口近傍に至るまで、進退動作可能に配設されている尖端部を有する清掃用ロッドを併設した形態が特に好ましい。
【０００７】
【発明の実施の形態】
次に、本発明の煙道排ガス計測用サンプリングノズルに係る実施形態について、図１〜２を参照しながら説明する。
本発明の煙道排ガス計測用サンプリングノズルは、図１に示すように、煙道５の管壁５１に取り付けられる取り入れ部１、上部を給水部３とし、下部をサンプリング部４としたパイプ構造などから構成される点では従来と同様である。すなわち、前記取り入れ部１は、給水部３とサンプリング部４の中間で連結されていて、取り入れ部１の取り入れ口１１から吸引された排ガスは、前記連結部分において、上方の給水部３に設けられた散水ノズル３１からの散水を受け、所定の配管（図示せず）を通じてガス計測部（図示せず）に供給され、成分分析が行われるものである。
【０００８】
そして、本発明の特徴とするところは、図１に示すように、その排ガス取り入れ口１１近傍から取り入れ部１にかけて、その内面を水分で湿潤させ、水の流れを形成する水供給手段として、この実施形態では散水装置１２を前記取り入れ部１に設けた点にある。
そして、この散水装置１２は、前記取り入れ部の内面上部に長手方向に配置された散水パイプ１２ａと、それに給水するための給水管１２ｂからなり、例えば取り入れ部１が内径１００ｍｍ程度のパイプである場合には、散水パイプ１２ａは、内径１０ｍｍ×長さ２５０ｍｍのステンレス管に３ｍｍ径の水放出孔１２ｃを２５ｍｍ間隔に複数個設けたものでよく、また同じく内径１０ｍｍのステンレス製の給水管１２ｂが取り付けられ、外部から給水可能とされている。なお、この水放出孔１２ｃは、図１に示すように散水パイプの長手方向に沿ってその側面に配置して、取り入れ部１の内面をできるだけ一様に濡らすように放出水を取り入れ部の内面に向けて放出するように設けられている。
【０００９】
そして、この水供給手段によれば、給水管１２ｂから適量の水を供給すると、散水パイプ１２ａに設けられた水放出孔１２ｃから水が放出され、排ガス取り入れ口近傍１１から取り入れ部１の内部にわたって、その内面を濡らして、過剰の水分は水の流れを形成する。そのために、排ガス中の凝集成分が内壁面に凝集して固着、堆積することが確実に防止でき、ノズルの閉塞事故を解消できるのである。そして流れ下った水分は、下方の排出孔（図示せず）から排出される。なお、水放出孔１２ｃから放出される水分は、煙道内に流れ込むのは好ましくないので、その放出方向、放出位置は所要の状態に予め設定される。
【００１０】
また、図１では図示を省略してあるが、前記排ガス計測用サンプリングノズルの取り入れ部１内部を排ガス取り入れ口１１近傍に至るまで、進退動作可能に配設されている尖端部２２を有する清掃用ロッド２１を図２に例示したように併設するのが特に好ましい。この場合は、図１に示すように、取り入れ部１の軸上の反対側にシリンダ部２によって清掃用ロッド２１が駆動されるよう設定すればよい。
【００１１】
このようにすれば、前述の通り取り入れ部１内面は湿潤状態にあるので、併設された清掃用ロッド２１の進退動作も円滑になり、凝集固形物の他、各種の汚損物質に堆積を容易に除去できる利点も得られ、サンプリングノズル全体を取り外し分解掃除の間隔も長くできる効果もある。
なお、前記排ガス取り入れ部１の煙道管壁５１への取付け角度を１５°以上に設定して、サンプリング部４に向けて下り勾配に配置するのが、前記散水ノズル１２からの散水が煙道に流れ込むのを抑制でき、好ましい。
なお、以上本発明につき、清掃用ロッド２１を有するサンプリングノズルを事例に説明したが、本発明は、この清掃用ロッド２１を有する場合に限定されず, 例えば、エアパージによる清掃方式のサンプリングノズルにも有効に適用できるものである。
【００１２】
なお、本発明の水供給手段は、図１に例示するような散水パイプ１２ａと給水管１２ｂから形成される散水装置１２に限定させるものでなく、またその配置についても、排ガス取り入れ部１のみならず、さらに深部に至る部分まで、例えば図３に示すように、清掃用ロッドの尖端部２２を収容する空間２３の部分から取り入れ部１に至るまでカバーするように、散水パイプ１２ａを配置して、全面に放出水を放出できるようにしたものを含むのである。この場合、空間２３に位置する散水パイプ１２ａの部分には、鉛直下方向へ開口した水放出孔１２ｄを設けるようにすれば、前記した散水ノズル３１と同様にサンプリングガスを水洗浄するという散水効果を奏するので、その散水ノズル３１の設置を省略できる利点が得られる。また、図３のように、散水パイプ１２ａをシリンダ部２取付板に取り付けるようにすれば、散水パイプ１２ａの取り付け取り外しが簡単になり、散水装置１２全体の清掃が容易になるという利点が得られる。
【００１３】
また、本発明のサンプリングノズルが適用される対象排ガスとしては、前記した凝縮固形物が生じやすい燃焼排ガスの場合に最も効果を奏するのであって、特に、下水汚泥焼却炉の他、一般廃棄物用焼却炉の煙道に設置して有効に機能する。また、この本発明における煙道とは、排ガス発生源から大気に至る排ガスの流通経路を意味し、大気放出用の煙突における煙道に限定されるものではない。
【００１４】
【発明の効果】
本発明の煙道排ガス計測用サンプリングノズルは、以上に説明したように構成されているので、前記した凝縮固形物の発生を予防して、取り入れ部の閉塞を防止するとともに、清掃ロッド２１のスムーズな動作の確保も可能となり、清掃効果も向上して定期的なメンテナンス間隔も長くできるという優れた効果がある。よって本発明は従来の問題点を解消した煙道排ガス計測用サンプリングノズルとして、その工業的価値は極めて大なるものがある。
【図面の簡単な説明】
【図１】本発明の煙道排ガス計測用サンプリングノズルの要部切欠断面図。
【図２】従来の同サンプリングノズルの要部切欠断面図。
【図３】本発明の１実施形態の要部断面図。
【符号の説明】
１  取り入れ部、１１  取り入れ口、１２  散水装置、１２ａ  散水パイプ、１２ｂ  給水管、１２ｃ  水放出孔、２  シリンダ部、２１  清掃用ロッド、２２  尖端部、３  給水部、３１  散水ノズル、４  サンプリング部、５  煙道、５１  管壁。
【図１】
0003573699.tif 000002
【図２】
0003573699.tif 000003
【図３】
0003573699.tif 000004